(57)【要約】【課題】爪、中央開口部レバー、及びこの中央開口レバーと相互作用可能な３つの当接位置を有するアクチュエータを備える、自動車のドアリーフ用の電気的ラッチに関する。【解決手段】アクチュエータは、歯付き駆動ホイール及び同軸の従動ホイールを含むドライバを含有し、歯付き駆動ホイールは、第１の駆動部材により前記従動ホイールを回転可能であり、前記従動ホイールは、第２の駆動部材と、アクチュエータを駆動するためのモータと、前記第２の駆動部材によって前記ドライバの従動ホイールを動かすことができる伝達中央レバーと、前記中央伝達レバーの動きにより、前記爪を引っ込んだ角度位置に移動でき、前記ドライバの前記２つのホイールの１つは、円弧形の長方形の第１の開口を有し、他方の前記ホイールは前記第１の開口を貫通して伸びる第１駆動部材を有し、前記ドライバは、前記他のホイールを回転可能に駆動することなく、前記１つのホイールの回転ストロークを実行するように構成されている。【選択図】図2
2021510400.tif 000002
【特許請求の範囲】
【請求項１】
自動車のドアリーフ用の電気的ラッチ（Ｓ）であって、
ストライカ（１９）のキャッチ角度位置と前記ストライカ（１９）の開放位置の間で第１の軸（Ｒ１）を中心に回転するように構成された１つのピン（１０）と、
前記ピン（１０）の一対の逆鉤シアー（１０１、１０２）と当接して爪（９）が前記ピン（１０）を前記ストライカ（１９）のキャッチ位置に保持するロック角度位置と、前記ピン（１０）を前記第１の軸（Ｒ１）を中心に自由に回転できるように保持する格納角度位置との間で、第２の軸（Ｒ２）を中心に旋回するように構成された１つの爪（９）と、
前記爪（９）に当接し、前記爪（９）を前記格納角度位置に移動させるように構成された１つの開口中央レバー（７）と、
３つの停止位置を保有し、前記開口中央レバー（７）と連携するように構成された１つのアクチュエータ（Ａ１）と、
同軸の駆動ホイール（２）及び従動ホイール（５）を有するドライバ（Ｅ）であって、前記駆動ホイール（２）は、第１の駆動部材（５ａ）によって前記従動ホイール（５）を回転駆動するように構成され、前記従動ホイール（５）は第２の駆動部材（５ｂ）を有しており、
ウォームねじ（３）によって前記ドライバ（Ｅ）の前記駆動ホイール（２）を回転駆動するモータ（１）と、
前記第２の駆動部材（５ｂ）を介して前記ドライバ（Ｅ）の前記従動ホイール（５）によって移動するように構成され、その動きが前記爪（９）を前記格納角度位置に移動するため前記開口中央レバー（７）に伝達されるように構成されている伝達中央レバー（６）とを備え、
前記ドライバ（Ｅ）の前記２つのホイール（２、５）の１つは、円弧形の長方形の第１の開口（４１）を有し、他方の前記ホイール（２、５）は前記第１の開口（４１）を貫通して伸びる第１駆動部材（５ａ）を有し、前記ドライバ（Ｅ）は、前記他のホイール（２、５）を回転可能に駆動することなく、前記１つのホイール（２、５）の回転ストロークを実行するように構成されていることを特徴とする自動車のドアリーフ用の電気的ラッチ。
【請求項２】
請求項１に記載の電気的ラッチにおいて、
前記第１の駆動部材（５ａ）は、前記従動ホイール（５）に属し、長方形の第１の開口（４１）を介して前記従動ホイール（５）の２つの主面（Ｆ１、Ｆ２）の１つに対して垂直に延びるクランクピンであり、
前記クランクピンは半径方向に偏心しており、前記長方形の開口部により、前記従動ホイール（５）により前記駆動ホイール（２）が駆動される前の、回転アイドルストロークを可能にすることを特徴とする自動車のドアリーフ用の電気的ラッチ。
【請求項３】
請求項１又は２に記載の電気的ラッチにおいて、
前記従動ホイール（５）の前記第２の駆動部材（５ｂ）は、前記伝達中央レバー（６）と一致する形状を有する凹部を通って垂直に延びるクランクピンであり、前記伝達中央レバー（６）を支承することによって変位し、前記クランクピン（５ｂ）は半径方向に偏心していることを特徴とする自動車のドアリーフ用の電気的ラッチ。
【請求項４】
請求項１乃至３のいずれか１項に記載の電気的ラッチにおいて、
前記電気的ラッチはさらに、前記ドライバ（Ｅ）が収容されたケースを有しており、
前記ケースの上に２つの停止部（１６、１７）を備えた停止手段（１８）が設けられており、
前記ドライバのホイール（２、５）の１つは、第１の停止位置及び第３の停止位置の２つの位置の間で、２つの停止部（１６、１７）の間を回転可能に移動するように構成された停止軸方向突出部（５ｃ）を有していることを特徴とする自動車のドアリーフ用の電気的ラッチ。
【請求項５】
請求項１乃至４のいずれか１項に記載の電気的ラッチにおいて、
前記爪（９）をピン（１０）保持角度位置とストライカ（１９）開放収納位置の間で移動させるため、前記開口中央レバー（７）と協働して前記爪（９）を前記格納角度位置に移動するように構成され、第３の軸（Ｒ３）を中心に旋回するように構成された開放レバー（１５）を含むインターフェースセット（Ａ２）を有しており、
前記開放レバー（１５）は、ケーブルまたは制御棒などの前記開放レバー（１５）を移動させるための変位手段（２１）を受け入れるように構成された連結手段（１５２）を含んでいることを特徴とする自動車のドアリーフ用の電気的ラッチ。
【請求項６】
請求項５に記載の電気的ラッチにおいて、
前記伝達中央レバー（６）は、前記第３の軸（Ｒ３）に垂直な平面での移動によって変位するように構成されており、
前記伝達中央レバー（６）は、前記伝達中央レバー（６）の移動方向に延びる長方形の第２の開口（６１）を有し、
前記開放レバー（１５）は、前記伝達中央レバー（６）の移動方向に延びる長方形の第３の開口（１５３）を備えており、
前記ラッチ（Ｓ）は、さらに、前記伝達中央レバー（６）と前記開放レバー（１５）の間にクラッチ接続／クラッチ解除中間レバー（１４）を有しており、
前記中間レバー（１４）は、前記中間レバー（１４）の平面に対して実質的に垂直に延びる第１、第２の２つの突出部（１４１、１４２）を有しており、
前記第１の突出部（１４１）は、前記長方形の第２の開口（６１）を通って延び、前記第２の突出部は、前記長方形の第３の開口（１５３）を通って突出しており、
前記開口中央レバー（７）には、前記長方形の第３の開口（１５３）から突き出ている前記第２の突出部（１４２）によって隣接して駆動されるように構成されている接触突出部（７１）が設けられており、
これにより、前記伝達中央レバー（６）の並進移動は、表面（１４２）が前記開口中央レバー（７）を回転駆動できない位置と、前記変位手段（２１）によって前記開口中央レバー（７）の前記接触突出部（７１）との当接接触により、前記開口中央レバー（７）の変位を引き起こす前記開放レバー（１５）の回転位置との間で、前記中間レバー（１４）の前記第２の突出部（１４２）を移動させるように構成されていることを特徴とする自動車のドアリーフ用の電気的ラッチ。
【請求項７】
請求項６に記載の電気的ラッチにおいて、
前記伝達中央レバー（６）は、さらに、前記第１の突出部（１４１）を支持する前記中間レバー（１４）の弾性手段（１４Ｓ）を備え、
前記弾性手段（１４Ｓ）は、前記中間レバー（１４）を、前記伝達中央レバー（６）によって付勢されていない初期位置に向けて付勢するように構成されていることを特徴とする自動車のドアリーフ用の電気的ラッチ。
【請求項８】
請求項１乃至７のいずれか１項に記載の電気的ラッチにおいて、
前記爪（９）は、前記爪（９）の前記第２の軸（Ｒ２）に垂直な２つの別個の平面にわたって延在する第１、第２の２つの放射状の突出部（９１、９２）を有し、
前記第１の突出部（９１）は、前記開口中央レバー（７）によって駆動されるように構成された表面を有し、前記第２の突出部（９２）は、前記ピン（１０）の逆鉤（１０１、１０２）と当接して協働するように構成された表面を有し、前記ピン（１０）を前記ストライカ（１９）の解除位置に保持することを特徴とする自動車のドアリーフ用の電気的ラッチ。
【請求項９】
請求項１乃至８のいずれか１項に記載の電気的ラッチにおいて、
反対方向に伸びた第１、第の２つのアーム（１１１、１１２）を有し、第４の軸（Ｒ４）を中心に旋回するように構成されたロッカーレバー（１１）と、
前記ロッカーレバー（１１）の前記第１アーム（１１１）と連動するように構成された停止壁（６２）を有している前記伝達中央レバー（６）とを備え、
前記ロッカーレバー（１１）は、前記第１アーム（１１１）が、前記停止壁（６２）のアクティブ面に当接接触し、格納角度位置で前記伝達中央レバー（６）の前記爪（９）の移動を阻止する位置と、前記第１アーム（１１１）が前記停止壁（６２）から離れ、前記伝達中央レバー（６）の前記爪（９）のストロークをクリアしロック角度位置に戻す角度位置との間で、旋回するように構成されていることを特徴とする自動車のドアリーフ用の電気的ラッチ。
【請求項１０】
請求項９に記載の電気的ラッチにおいて、
前記ロッカーレバー（１１）を、前記伝達中央レバー（６）を阻止する前記角度位置に付勢するように構成された、前記ロッカーレバー（１１）に対する弾性手段（１１Ｓ）を備えていることを特徴とする自動車のドアリーフ用の電気的ラッチ。
【請求項１１】
請求項９または１０に記載の電気的ラッチにおいて、
前記ピン（１０）と同じ前記第１の軸（Ｒ１）を中心に回転するロッカーレバー爪（１２）であって、
前記ロッカーレバー（１１）を、前記爪（９）が格納角度位置にある変位位置の前記伝達中央レバー（６）を阻止する角度位置に保持する位置と、前記伝達中央レバー（６）のストロークに対してクリアされた角度位置で前記ロッカーレバー（１１）の復帰を可能にする位置との間で、回転するように構成されており、
前記ロッカーレバー爪（１２）を、前記伝達中央レバー（６）を阻止する角度位置で、前記ロッカーレバー（１１）を保持する位置に向けて付勢するように構成された前記ロッカーレバー爪（１２）の弾性手段（１２Ｓ）と、
前記ピン（１０）と同じ前記第１の軸（Ｒ１）を中心に回転するよう構成され、前記ピン（１０）は回転可能にリンクされているピンタッチプローブ（１３）と、
前記ロッカーレバー（１２）の爪と前記ピンタッチプローブ（１３）及び前記ロッカーレバー（１１）の一端（１１２ａ）にそれぞれ属する放射状の表面（１２１、１３１）とを備え、
前記ロッカーレバー（１１）の前記端（１１２ａ）は、前記ピン（１０）が前記ストライカ（１９）の開放角度位置に向かって回転可能に駆動されたときに、放射状の表面（１２１、１３１）に連続的に静止するように構成されていることを特徴とする自動車のドアリーフ用の電気的ラッチ。
【請求項１２】
請求項１１に記載の電気的ラッチにおいて、
前記ピンタッチプローブ（１３）は、前記ロッカーレバー（１１）の端（１１２ａ）と一致する形状のノッチ（１３２）を有していることを特徴とする自動車のドアリーフ用の電気的ラッチ。
【請求項１３】
請求項９乃至１２のいずれか１項に記載の電気的ラッチにおいて、
前記アクチュエータ（Ｅ）は第１乃至第３の３つの停止位置を保有しており、
前記第１の停止位置は、前記モータが一方向に回転するときに、前記停止部（１６、１７）の１つの前記軸方向突出部（５ｃ）に接触する位置であり、
前記第２の停止位置は、前記モータが反対方向に回転するときの、前記第１の長方形開口（４１）の１つの停止時の前記軸方向停止（５ｃ）の中間位置であり、
前記第３の停止位置は、もう一方の前記停止部（１６、１７）の他方の前記軸方向突出部（５ｃ）との接触位置であることを特徴とする自動車のドアリーフ用の電気的ラッチ。
【請求項１４】
請求項９乃至１３のいずれか１項に記載の電気的ラッチにおいて、
前記ピン（１０）の前記第１の軸（Ｒ１）、前記爪（９）の前記第２の軸（Ｒ２）、前記開放レバー（１５）の前記第３の軸（Ｒ３）、及び前記ロッカーレバー（１１）の前記第４の軸（Ｒ４）は、全て、互いに平行であることを特徴とする自動車のドアリーフ用の電気的ラッチ。
【請求項１５】
請求項１１乃至１４のいずれか１項に記載の電気的ラッチにおいて、
前記ロッカーレバーの爪（１２）の半径は、前記ピンタッチプローブ（１３）の半径より大きいことを特徴とする自動車のドアリーフ用の電気的ラッチ。
【請求項１６】
請求項１乃至１５のいずれか１項に記載の電気的ラッチにおいて、
前記ラッチ（Ｓ）は単一の前記モータ（１）を備えていることを特徴とする自動車のドアリーフ用の電気的ラッチ。
【発明の詳細な説明】
【技術分野】
【０００１】
本発明は、自動車のドアリーフ、特に自動車のドア、ハッチバック、またはトランク用の電気的ラッチに関する。
【０００２】
自動車のラッチは、自動車のドアリーフに固定して取り付けられており、通常は、ドアリーフの閉鎖を確実にするため、閉鎖中は、自動車の構造体に固定されたストライカの周りを一方向に旋回するようにして設けられた１つのピンを有しており、このピンを逆方向に回転させることで、ドアリーフを開くことができる。
ドアリーフの開動作中におけるピンの逆方向の回転は、開レバーを旋回させる制御手段を介してラッチにリンクされた外部または内部車両の変位に追従し、今度は、フック装置を介してピンを所望の方向に開放する。
【０００３】
通常の動作でラッチを電気的に開くプロセスでは、ピンを保持する爪が電動アクチュエータによって駆動され、ピンを開放する。爪によってピンが保持されなくなると直ぐに、このピンは旋回してストライカを開放する。電気的アクチュエータが爪と係合しなくなると、この爪はばねによってピンへ戻される。
【０００４】
一般に、ラッチは機能ごとに１つのモータを使用する。これらの機能は、閉鎖、スーパー閉鎖、チャイルドセーフティロック、いわゆる「シンチイン」パワークロージャーまたは電気的開放手段で構成されている。従って、ロック、スーパーロック、チャイルドセーフティロックタイプの機能の場合、モータは通常、停止から停止までのシーケンスで使用され、モータの逆通電によって次のシーケンスを起動して機械的状態をリセットできるようにする。
【０００５】
電力閉鎖または電気的開放タイプの機能の場合、モータの電力は、通常、停止から停止のシーケンスを介して一方向に使用され、次の操作のためにシステムをリセットできる、一般に「バックドライブ」と呼ばれる、復帰機構が付いている。この復帰機構による復帰動作は、モータによって保証されるか、電流がオフにされたときに機械的復帰に関連するクラッチ遮断によって可能になる。復帰動作は停止時に終了し、通常、モータの逆電源を別の機能に使用することはできない。
【０００６】
特許文献１には、単一のモータを使用して、要素がロックされている閉状態からその要素がロック解除されている開状態にロックアセンブリを切り替えるように構成されたアクチュエータが開示されている。このアクチュエータは、ロックアセンブリが閉状態にあるときに、車両の別の要素に接続されたストライカを係合するために１番目の位置で動作可能なピンと、このピンが２番目の位置にあると、ロックアセンブリが開位置にあるときにストライカをクリアできる。このアクチュエータは、ドライバとギアシステムで構成されており、ギアシステムは、開放要素を移動させるように動作可能である。この開放要素は、ピンに動作可能に連結され、開放要素の動きがピンを２番目の位置に向かって移動させるように促す。これは実際には、装置とアクチュエータの単安定性のため、機能が制限されたラッチで構成されている。このラッチは、電気的に開くためのものである。
【０００７】
自動車のドアリーフ用の電気的ラッチが、特許文献２で知られており、この電気的ラッチは、ラッチケースを含み、その第１コンパートメントにはピンと爪が含まれ、第２コンパートメントにはラッチが閉鎖／非閉鎖位置に設定されるようになっている閉鎖レバーが緊密に構成されている。さらに、開口部に動力を供給するための電気モータであって、第２の区画において、電気モータが、歯車列を介して、少なくとも１つの半径方向に偏心したクランクピンを備えた歯車を回転可能に駆動するように構成されている。このクランクピンは、ホイールの回転中に、ホイールの半径方向に偏心したピンが弾性開口部ストロークエンドストップに接触するまでコントロールレバーを駆動することを目的としている。モータの電力供給は、ピンが確実に弾性停止に到達することを保証するのに十分な長さの期間プログラムされており、制御レバーは、第１の区画内に配置された開放レバーと回転可能に連結されており、爪と協働してそれをピン開放位置に移動させるように構成されている。
この発明は、電気的開放のための１つのモータと、ロック／アンロックのための１つのモータとを備え、従って、改善の余地が高いコンパクト性を有するラッチを開示している。さらに、アクチュエータの位置を決定するために、電子制御ユニットに情報を提供するために接触器またはボタンが必要である。
【０００８】
さらに、自動車のドア用の電気作動式ラッチを開示する特許文献３も知られており、これは、自動車のドア用の電気作動式ラッチであって、ロックユニットと、ドアに関連付けられた対応する手動制御部材に接続され、ロックユニットと相互作用してドアを開けることができる制御ユニットとを備えている。さらに、車両の内側及び外側からそれぞれロックユニットの開放を非アクティブ化するために選択的にアクティブ化され得る第１及び第２の非アクティブ化手段、ならびに、第１の経路に沿って、又は、第１の経路とは異なる第２の経路に従ってロックユニットを開くように、選択的に作動させる電気アクチュエータを有している。従って、この出願の発明は、機能的なストローク中にばねの力に打ち勝つために特大のモータを必要とする中間のばねバイアスの二重復帰ラッチを開示し、このラッチは２個のモータを使用する。さらに、ストローク終了位置の少なくとも１つは安定しておらず、最終的にこのラッチは構造が複雑になる可能性がある。
【先行技術文献】
【特許文献】
【０００９】
【特許文献１】US ２０１５１４５２６５ A１
【特許文献２】FR ２７８３５５１ A１
【特許文献３】EP １０３５２８０ A１
【発明の概要】
【発明が解決しようとする課題】
【００１０】
このように、従来技術は、幾つかのモータを使用して、異なる機能へのアクセスを可能にするか、または２つの位置を採用することができる１つのアクチュエータのみを使用し、それによって関連するラッチの機能を制限している。複数の異なる操作に同じモータを使用するために、幾つかの機能を提供するように構成された１つのモータを持つラッチがある。これらのラッチにはマイクロスイッチが装備されている必要があり、それに応じて電子制御ユニットが電源を停止し、別のストロークで別の機能を利用できるようにする必要がある。従って、アクチュエータは、各停止時に、連続的でほとんど再現性のない方法で命令を送信することによって制御される。
【００１１】
このようなシーケンシャルなジェスチャーを使用すると、システムの応答性とシステムの慣性に依存するため、操作の再現性が低下する。通常、このような電気的ラッチには、応答性を得るために車両の中央ユニットに依存しないように、独立した組み込みの電子制御機能が備わっている必要がある。これら全てが全体としてラッチを過剰充填状態とし、例えば自動車のバッテリーのメンテナンスまたは故障の場合にオフ操作に必要なバックアップバッテリーの統合が容易ではない。
【００１２】
従って、本発明の目的は、コンパクト性、多用途性、電動化、及びアセンブリ要素の節約の観点において、これらの欠点に対処できるラッチを提供することである。
【課題を解決するための手段】
【００１３】
この目的のために、本発明によるラッチは、自動車のドアリーフ用の電気的ラッチからなり、ストライカのキャッチ角度位置とストライカ開放位置との間でその軸を中心に旋回するように構成された１つのピンと、前記ピンの一対の逆鉤シアーと当接して爪が前記ピンを前記ストライカキャッチ位置に保持するロック角度位置と、前記ピンをその軸を中心に自由に回転できるように保持する格納角度位置との間でその軸を中心に旋回するように構成された１つの爪と、前記爪に当接し、前記爪を前記格納角度位置に移動させるように構成された１つの開口中央レバーと、３つの停止位置を保有し、前記開口中央レバーと連携するように構成された１つのアクチュエータと、同軸の駆動ホイール及び従動ホイールを有するドライバであって、前記駆動ホイールは、第１の駆動部材によって前記従動ホイールを回転駆動するように構成され、前記従動ホイールは第２の駆動部材を有しており、ウォームねじによって前記ドライバの前記駆動ホイールを回転駆動するモータと、前記第２の駆動部材を介して前記ドライバの前記従動ホイールによって移動するように構成されその動きが前記爪を前記格納角度位置に移動するため前記開口中央レバーに伝達されるように構成されている伝達中央レバーとを備え、
前記ドライバの前記２つのホイールの１つは、円弧形の長方形の第１の開口を有し、他方の前記ホイールは前記第１の開口を貫通して伸びる第１駆動部材を有し、前記ドライバは、前記他のホイールを回転可能に駆動することなく、前記１つのホイールの回転ストロークを実行するように構成されていることを特徴とする。
【００１４】
好ましくは、本発明によるラッチは、前記第１の駆動部材が前記従動ホイールに属し、長方形の第１の開口を介して前記従動ホイールの２つの主面の１つに対して垂直に延びるクランクピンであり、前記クランクピンは半径方向に偏心しており、前記長方形の開口部により、前記従動ホイールにより前記駆動ホイールが駆動される前の、回転アイドルストロークを可能にする。
これにより、ドライブが容易になり、特にクランクピンが長方形の開口部の幅と同じ直径である場合に、ラジアルバックラッシュを回避しながら、開口部／ドライブエレメントの形状を一致させることができる。
【００１５】
さらにより好ましくは、本発明によるラッチは、前記従動ホイールの前記第２の駆動部材が、前記伝達中央レバーと一致する形状を有する凹部を通って垂直に延びるクランクピンであり、前記伝達中央レバーを支承することによって変位し、前記クランクピン半径方向に偏心している。これは、伝達中央レバーの駆動を容易にし、偏心が大きいほど、伝達中央レバーを十分に移動させるのに必要なストロークが短くなる。
【００１６】
理想的には、本発明によるラッチはさらに、前記ドライバが収容されたケースを有しており、前記ケースの上に２つの停止部を備えた停止手段が設けられており、前記ドライバのホイールの１つは、第１の停止位置及び第３の停止位置の２つの位置の間で、２つの停止部の間を回転可能に移動するように構成された停止軸方向突出部を有している。密封により、ラッチを、ほこりや、凍結してメカニズムを変更する可能性がある液体から隔離できる。ストッパーにより、接触器に頼ることなく、モータの回転を所定の位置で停止できる。
【００１７】
必要に応じて、本発明によるラッチは、前記爪をピン保持角度位置とストライカ開放収納位置の間で移動させるため、前記開口中央レバーと協働して前記爪を前記格納角度位置に移動するように構成され、第３の軸を中心に旋回するように構成された開放レバーを含むインターフェースセットを備えていても良い。前記開放レバーは、ケーブルまたは制御棒などの前記開放レバーを移動させるための手段を受け入れるように構成された連結手段を有している。
【００１８】
これは、ラッチに新しい機能を提供し、伝達中央レバー以外の手段で爪を移動させることを可能にする。さらに、これにより、開放レバーのクラッチ遮断により、子供の安全を確立できる。
【００１９】
より好ましくは、前記伝達中央レバーは、前記第３の軸に垂直な平面での移動によって変位するように構成されており、
前記伝達中央レバーは、前記伝達中央レバーの移動方向に延びる長方形の第２の開口を有し、
前記開放レバーは、前記伝達中央レバーの移動方向に延びる長方形の第３の開口を備えており、
前記ラッチは、さらに、前記伝達中央レバーと前記開放レバーの間にクラッチ接続／クラッチ解除中間レバーを有しており、
前記中間レバーは、前記中間レバーの平面に対して実質的に垂直に延びる２つの突出部を有しており、
前記第１の突出部は、前記長方形の第２の開口を通って延び、前記第２の突出部は、前記長方形の第３の開口を通って突出しており、
前記開口中央レバーには、前記長方形の第３の開口から突き出ている前記第２の突出部によって隣接して駆動される接触突出部が設けられている。
【００２０】
これにより、前記伝達中央レバーの並進移動は、表面が前記開口中央レバーを回転駆動できない位置と、前記変位手段によって前記開口中央レバーの前記接触突出部との当接接触により、前記開口中央レバーの変位を引き起こす前記開放レバーの回転位置との間で、前記中間レバーの前記第２の突出部を移動させるように構成されている。
【００２１】
このような構成により、ラッチの新しい機能が向上し、伝達中央レバー以外の手段で爪を移動させることができる。
【００２２】
さらに、開放レバーのクラッチ遮断により、子供の安全をより確実にでき、また、クラッチ遮断により、慣性システムを取り除くことができる。
【００２３】
理想的には、前記伝達中央レバーは、さらに、前記第１の突出部を支持する前記中間レバーの弾性手段を備え、前記弾性手段は、前記中間レバーを、前記伝達中央レバーによって付勢されていない初期位置に向けて付勢するように構成されている。この機能を使用すると、アクチュエータが機械的にリセットされる。
【００２４】
本発明によるラッチの爪が、爪の回転軸に垂直な２つの別個の平面にわたって延在する２つの半径方向突出部を含む場合、本発明の改善が得られる。前記爪は、前記爪の前記第２の軸に垂直な２つの別個の平面にわたって延在する２つの放射状の突出部を有し、前記第１の突出部は、前記開口中央レバーによって駆動されるように構成された表面を有し、前記第２の突出部は、前記ピンの逆鉤と当接して協働するように構成された表面を有し、前記ピンを前記ストライカの解除位置に保持する。これにより、爪の２本のアームが２つの異なる平面上にあるため、コンパクト性を向上させることができる。
【００２５】
本発明の好ましい実施形態では、ラッチは、反対方向に伸びた第１、第の２つのアームを有し第４の軸を中心に旋回するように構成されたロッカーレバーと、前記ロッカーレバーの前記第１アームと連動するように構成された停止壁を有している前記伝達中央レバーとを備え、前記ロッカーレバーは、前記第１アームが、前記停止壁のアクティブ面に当接接触し、格納角度位置で前記伝達中央レバーの前記爪の移動を阻止する位置と、前記第１アームが前記停止壁から離れ、前記伝達中央レバーの前記爪のストロークをクリアしロック角度位置に戻す角度位置との間で旋回するように構成されている。
【００２６】
これは、本発明に、モータに連結されたアクチュエータの長方形の開口部によって、アクチュエータの中間位置への復帰を可能にしながら、そのピン開放位置で爪を固定する可能性を追加する。アクチュエータがリセットされ、モータを反対方向に回転させることにより、新しいストロークが可能になる。
【００２７】
好ましくは、本発明によるラッチは、前記ロッカーレバーを、前記伝達中央レバーを阻止する前記角度位置に付勢するように構成された、前記ロッカーレバーに対する弾性手段を備えている。
【００２８】
前記ラッチが以下の構成を含む場合、本発明の改善効果が得られる。
前記ピンと同じ前記第１の軸を中心に回転するロッカーレバー爪であって、
前記ロッカーレバーを、前記爪が格納角度位置にある変位位置の前記伝達中央レバーを阻止する角度位置に保持する位置と、前記伝達中央レバーのストロークに対してクリアされた角度位置で前記ロッカーレバーの復帰を可能にする位置との間で回転可能であり、
前記ロッカーレバー爪を、前記伝達中央レバーを阻止する角度位置で、前記ロッカーレバーを保持する位置に向けて付勢するように構成された前記ロッカーレバー爪の弾性手段と、
前記ピンと同じ前記第１の軸を中心に回転するよう構成され、前記ピンは回転可能にリンクされているピンタッチプローブと、
前記ロッカーレバーの爪と前記ピンタッチプローブ及び前記ロッカーレバーの一端にそれぞれ属する放射状の表面とを備え、
前記ロッカーレバーの前記端は、前記ピンが前記ストライカの開放角度位置に向かって回転可能に駆動されたときに、放射状の表面に連続的に静止するように構成されている。
【００２９】
これにより、ロッカーレバーのロックにより、格納角度位置にある爪の変位位置での伝達中央レバーの遮断が可能になる。さらに、表面が連続しているため、ストライカをキャッチするためにピンが回転するドアクロージャープロセスの間でも、ブロッキング位置に留まることができる。
【００３０】
理想的には、本発明によるラッチは、ロッカーレバーを伝達中央レバーのストロークに対してクリアな角度位置に保持するために、前記ピンタッチプローブは、前記ロッカーレバーの端と一致する形状のノッチを有している。
【００３１】
好ましくは、アクチュエータは、３つの停止位置を保有するように構成されている。
前記第１の停止位置は、前記モータが一方向に回転するときに、前記停止部の１つの前記軸方向突出部に接触する位置であり、前記第２の停止位置は、前記モータが反対方向に回転するときの、前記第１の長方形開口の１つの停止時の前記軸方向停止の中間位置であり、前記第３の停止位置は、もう一方の前記停止部の他方の前記軸方向突出部との接触位置である。
【００３２】
これにより、本発明によるラッチの３つの停止位置の最適な使用が可能になる。
【００３３】
好ましくは、コンパクト性を獲得するために、前記ピン、前記爪、前記開放レバー、及び前記ロッカーレバーの軸の全てが互いに平行である。
【００３４】
好ましくは、前記ロッカーレバー爪の半径は、前記ピンタッチプローブの半径より大きい。
【００３５】
理想的には、本発明による前記ラッチは単一の前記モータを備えている。これにより、単一の電源で多くの機能を実行できるため、組み立ての節約とモータの最適化、動作状態の簡素化が可能になる。
【００３６】
本発明の他の利点及び特徴は、以下に例として提供される本発明の説明並びに添付の図面から明らかになるであろう。
【図面の簡単な説明】
【００３７】
【図１ａ】本発明によるラッチを、ストライカ（図示せず）のキャッチ位置における幾つかの異なる角度から見た図である。
【図１ｂ】本発明によるラッチを、ストライカのキャッチ位置における幾つかの異なる角度から見た図である。
【図１ｃ】本発明によるラッチを、ストライカのキャッチ位置における幾つかの異なる角度から見た図である。
【図１ｄ】本発明によるラッチを、ストライカのキャッチ位置における幾つかの異なる角度から見た図である。
【図２】本発明のラッチの斜視図である。
【図３ａ】本発明によるドライバの、駆動歯車（駆動ホイール）及び従動ホイールを示す斜視図である。
【図３ｂ】本発明によるドライバの、駆動歯車（駆動ホイール）及び従動ホイールを示す斜視図である。
【図３ｃ】本発明によるドライバの、駆動歯車（駆動ホイール）及び従動ホイールを示す斜視図である。
【図３ｄ】本発明による従動ホイールの斜視図である。
【図３ｅ】本発明による駆動ホイールの歯のない部分の斜視図である。
【図４】ストッパーと伝達中央レバーを備えた、本発明のドライバの正面図である。
【図５】円弧状の開口を示す、図４と同様の本発明のドライバの背面図である。
【図６】本発明による爪及びピンの、ストライカキャッチ位置における平面図である。
【図７】本発明によるラッチのアクチュエータの平面図であり、ロッカーレバーは、伝達中央レバーのストロークに対してクリアされた角度位置にある。
【図８】クラッチ解除位置にある、開口中央レバー及び中間レバーの平面図である。
【図９】本発明によるラッチの背面斜視図である。
【図１０】本発明によるラッチの正面図である。
【図１１】本発明によるラッチのアクチュエータの動作状態を示すものであり、アクチュエータが電気的開放中に第１の停止位置方向へ向かう状態を示している。
【図１２】本発明によるラッチのアクチュエータの動作状態を示すものであり、駆動歯車（駆動ホイール）が初期位置に戻る際の動作状態を示している。
【図１３】本発明によるロッカーレバーの爪及びピンタッチプローブの、ストライカ開放に向けた、動作状態を連続的に示すものである。
【図１４】本発明によるロッカーレバーの爪及びピンタッチプローブの、ストライカ開放に向けた、動作状態を連続的に示すものである。
【図１５】ロッカーレバー、ロッカーレバーの爪、及びピンタッチプローブを中心とする、図１４と同様の平面図である。
【図１６】本発明によるラッチの動作状態の平面図であり、ストライカをキャッチし、ロッカーレバーをクリアされた角度位置に設定するプロセス中の状態を示す図である。
【図１６ａ】ロッカーレバー、ロッカーレバーの爪、及びピンタッチプローブを中心とした、図１６と同様の図である。
【図１７】ロック位置にある爪が、アクチュエータの中間停止位置に向かっての復帰する動作状態を示している。
【図１８】本発明によるラッチの第２の機能の動作状態を連続的に示すものであり、アクチュエータは第３の停止位置に向かって移動している状態にある。
【図１９】本発明によるラッチの第２の機能の動作状態を連続的に示すものであり、アクチュエータは第３の停止位置に向かって移動している状態にある。
【図２０ａ】クラッチ解除位置にある、クラッチ接続／クラッチ解除中間レバーを示す図である。
【図２０ｂ】クラッチ接続位置にある、クラッチ接続／クラッチ解除中間レバーを示す図である。
【図２１】本発明によるラッチの平面図であり、第３停止位置にあるクラッチ接続／クラッチ解除中間レバーのラッチ位置を示している。
【図２２】伝達中央レバーのストロークに対してクリアの位置に保持されたロッカーレバーの平面図である。
【図２３】本発明によるラッチで実現可能な全ての機能を示すものである。
【発明を実施するための形態】
【００３８】
以下、本発明の特許範囲に関して非限定的な例を通じて、本発明によるラッチの異なる要素を以下に説明する。図１〜図２３において、同一の要素には同じ参照番号が付されている。
【００３９】
図１ａ〜図１ｄは、本発明による自動車のドアリーフ用の同じ電気的ラッチについて、異なる視点から見た異なる要素を表す図である。
【００４０】
これらの図において、電気的ラッチＳは、ストライカ（図示せず）と協働することを意図され、そして本発明の一部ではない、枢動ピン１０を含んでいる。好ましくは、枢動ピン１０は、ストライカ１９を受け入れるように構成されたノッチ２０を区切るフォーク状の形状を有している。ピン１０は、電気的ラッチＳの閉位置において、このピン１０の回転を防止するように枢軸上の爪９によって回転が阻止されている。爪９は、ラッチを開くためのアクチュエータＡ１によって回転駆動される開口中央レバー７と、回転可能にリンクされている。本発明によるラッチにおいて、爪９は、好ましくは、爪９をロック角度位置に向けて付勢するばね９Ｓ（図示せず）タイプの付勢手段に関連付けられている。
【００４１】
さらに、ピン１０は、爪９の第２の軸Ｒ２と平行な第１の軸Ｒ１の周りを回転するように構成されている。また、開口中央レバー７は、第１の軸Ｒ１及び第２の軸Ｒ２に平行な、第３の軸Ｒ３の周りを回転するように構成されている。これにより、本発明によるラッチのコンパクト性を改善することができる。このコンパクト性は、爪９の第２の軸Ｒ２に垂直な２つの別個の平面に延びる２つの半径方向の突出部９１及び９２を有する爪９の効果として、部品を異なる平面上に組み立てることができることによって改善されるものである。すなわち、これら２つの平面には、ピン１０をストライカキャッチ角度位置（図示されておらず、本発明の一部ではない）に保持するために、開口中央レバー７によって駆動されるように構成された表面を有する第１の突出部９１と、ピン１０と当接して協働するように構成された表面を有する第２の突出部９２とがある。
【００４２】
本発明によるラッチのドライバＥは、公知のモータ１とウォームねじ３のアセンブリによって回転可能に駆動される。このモータは、ウォームねじを両方の回転方向に回転させることができる。ウォームねじの回転により、駆動歯車（駆動ホイール）を回転させることができ、このウォームねじは、クランクピン５b、５cを有するする従動ホイール５を回転させるように構成されている。クランクピン５bは、回転することにより、伝達中央レバー６を移動移動させるように構成されている。クランクピン５cは、従動ホイール５の同じ面でかつクランクピン５bと正反対の位置にあり、本発明によるラッチのケースに固定される停止手段１８にある２つの停止部の間で角度変位するように構成されている。
【００４３】
図１ａから図１ｄに示される本発明によるラッチはまた、インターフェースセットＡ２を有している。このインターフェースセットＡ２は、爪９を格納角度位置に移動させるために開口中央レバー７と協働するように構成されている。このインターフェースセットA２は、開放レバーに関連付けられたケーブル（またはコントロールロッド）によって定義される。このインターフェースレバーA２は、ケーブルまたはコントロールロッドとの接続を可能にし、このケーブルは、内部ハンドルまたは外部ハンドルに接続されている。インターフェースセットに関連して、開口中央レバー７の弾性手段７Ｓがあり、その一つの端部７Ｓ１は、開放レバー１５のスタッド１５１上にあり、爪９がその収納位置に移動した後、開放レバー１５をその初期位置に向かって付勢する。図１ｂ、図１ｃ及び図１ｄに、開放レバー１５と、スタッド１５１を示している。開放レバー１５は、爪９を保持する角度位置とストライカ開放収納位置（図示せず）との間で爪９を移動させるために、その第３の軸Ｒ３（図１ａ）の周りを旋回するように構成されている。開放レバー１５は、ケーブルまたは制御棒などの開放レバー１５を移動させるための手段２１を受け入れるように構成された、連結手段１５２を有している。
【００４４】
連結手段１５２は、車両の前部または後部にある、ドアの内部ハンドルまたは外部ハンドルにリンクできる。 
【００４５】
図１ｂでは、開口中央レバー７の弾性手段７Ｓを見分けることが可能であり、その端部７Ｓ１（図１ｄ）は、休止位置にある開放レバー１５のスタッド１５１上に静止して、爪９がその収納位置に移動した後、開放レバー１５をその初期位置に向けて開放する。
【００４６】
図１ｃ及び図１ｄは、本発明による電気的ラッチＳを示し、伝達中央レバー６と開放レバー１５との間に位置する、クラッチ接続／クラッチ解除中間レバー１４を示している。この中間レバー１４は、図１ｃ及び図１ｄの平面である中間レバー１４の平面に対して垂直に延びる２つの突出部１４１（図１ａ）及び１４２（図１ｄ）を有している。
【００４７】
図２を参照すると、第１の突出部１４１は、伝達中央レバー６に属する細長い開口部６１を通って延びており、第２の突出部１４２（図１ｄ及び図１ｂ）は、開放レバー１５に属する細長い開口部１５３を通って突出している。
【００４８】
この同じ図２では、第１の突出部１４１のいずれかの側にある中間レバー１４のばね１４Ｓを見分けることが可能であり、このばね１４Ｓは、中間レバー１４を、伝達中央レバー６によって付勢されていないその初期位置に向けて付勢するように構成されている。２つの脚部１４Ｓ１および１４Ｓ２は、中間レバー１４の突出部１４１の両側を支えるので、変位に続いて、中間レバー１４は、その初期位置に向かって付勢力を受ける。
【００４９】
さらに、図２には、停止手段１８の構成要素が示されている。この停止手段は、従動ホイール５のクランクピン５ｃがその間で変位できる２つの停止部１６及び１７を有している。
【００５０】
図３ａ乃至図３ｃは、本発明によるラッチのドライバＥを示している。駆動歯車（駆動ホイール）２は、その周囲に歯を含む部分と、その内部または幾つかの部分からなる第１の円弧状の長方形の開口４１からなり、第２のディスク部分４は、前記第１の円弧形状の長方形の開口４１（図３ｃ）を有している。ドライバを１つの部品とすることで、実装時間を短縮し、製造工程を１工程とし、複数部品化することで、サブ機能の追加が可能である。
【００５１】
図３ｂに示した従動ホイール５は、駆動歯車（駆動ホイール）２によって回転可能に駆動され、駆動歯車２の第１の開口部４１を通って延びるクランクピン５ａを有し、駆動歯車２は、従動ホイール５と同期しない回転を行うように構成されている。
図３ｂには、２つのクランクピン５ｂ及び５ｃが示され、それぞれ、クランクピン５ｂは伝達中央レバー６を変位させ、ストップクランクピン５ｃは、本発明によるラッチの第１及び第３の停止位置を規定するように、２つの停止部１６、１７の間を回転可能に移動する。
【００５２】
図３ｃは、従動ホイール５のクランクピン５ｂ及び５ｃの反対側の面に垂直に延びるクランクピン５ａの端部を示している。第１の面は図３bに示され、第２の面は図３dに示されている。
【００５３】
この同じ図３ｄは従動ホイール５の面Ｆ２を示し、図３ｂは面Ｆ１を示している。正反対の方向に伸びるクランクピン５ａとクランクピン５ｃが示されている。クランクピンの延長は、駆動歯車２と一致して１つの単一部品を形成することができるように、ディスク４の円弧形の長方形の開口４１を通して行われる。
【００５４】
図４で、本発明のラッチにおける、固定される停止手段１８の停止部１６及び１７を明確に見分けることができる。図４には、停止部１６と１７との間で変位するように構成されたクランクピン５ｃも示されており、それにより、従動ホイール５に属するクランクピン５ｂに固定された伝達中央レバー６の変位を規定する。
【００５５】
従って、図４の従動ホイールの時計回りまたは三角法の方向の回転は、伝達中央レバー６を下降させ、反時計回りの回転は、伝達中央レバーを上昇させる。反対方向の両方の回転は、停止部１６、１７によって規定された制限内で行われる。これにより、第１番目と第３番目の安定した停止位置が定義される。図では、中間位置が第２番目の安定停止位置である。
【００５６】
図５は、図４と同じ状態を、反対側から見た図である。これにより、駆動歯車２を回転駆動するウォームねじ３と、円弧状の長方形の開口４１とを見分けることができる。
【００５７】
図６は、ストライカ１９を受け入れるように構成された、ノッチ２０を区切るフォーク状形状を有するピン１０を示している。ノッチ２０のストライカ１９のキャッチ位置にピン１０を保持するために、ピン１０の逆鉤１０１または１０２と当接して協働しやすい爪９を設けることも可能である。
【００５８】
図７では、ロッカーレバーが伝達中央レバー６の作動面と当接接触して格納角度位置にある爪９の変位位置で後者を阻止する角度位置と、伝達中央レバー６がその初期位置に向かって上昇したときに、爪９をそのロック角度位置に戻すことができるように、伝達中央レバー６のストロークに対してクリアにされた角度位置との間で、その第４の軸Ｒ４を中心に旋回するように構成されたロッカーレバー１１が明確に示されている（図１ａを参照）。
【００５９】
この同じ図７では、ロッカーレバー１２の爪も示されている。このロッカーレバーの爪１２は、格納された角度位置にある爪９の変位位置にある伝達中央レバー６の作動面と当接接触して格納された角度位置にある爪９の変位位置で中央レバー６を阻止する角度位置にロッカーレバー１１を保持する位置と、伝達中央レバー６の作動面と当接接触して格納角度位置にある爪９の変位位置で伝達中央レバー６のストロークに対してクリアされた角度位置にロッカーレバー１１を戻すことを可能にする位置との間で、その第５の軸Ｒ５を中心に旋回するように構成され、理想的には第１の回転Ｒ１に対してわずかにオフセットされている。
【００６０】
本発明によるラッチはまた、ピン１０と同じ第１の軸Ｒ１の周りを旋回するように構成されたピンタッチプローブ１３を有している。ピンタッチプローブ１３とピン１０は、回転可能にリンクされている。ノッチ１３２が、ピンタッチプローブ１３の内部に設けられている。このノッチは、ラッチＳの機械的開放の場合に、クリア位置にあるロッカーレバー１１と干渉することなくピンの完全な回転を可能にすることができるようにするために、設けられている。
【００６１】
図８は、本発明によるラッチのインターフェースセットＡ２を示している（図１ａ〜図１ｄも参照）。図８には、接触突出部７１を有する開口中央レバー７が示されている。この接触突出部７１は、第３長円形開口部１５３（図７）を通って突出するクラッチ接続／クラッチ解除中間レバー１４の第２突出部１４２が、当接して駆動されるように構成されている。伝達中央レバー６の移動変位は、突出部１４２が、開口中央レバー７を回転駆動できない位置と開放レバー１５の回転が生じる位置との間で中間レバー１４の第２の突出部１４２を移動させるように構成されており、これにより、変位手段２１（図１ｃ及び図７）の操作に伴う突出部１４２の移動により、突出部１４２の表面と開口中央レバー７の接点エクレクセント７１との当接接触により、開口中央レバー７の変位を引き起こす。この点は、ロッドクラッチが示されている図２０ａ及び図２０ｂにより詳細に示されている。
【００６２】
図９及び図１０は、構成を明確にするためにインターフェースセットを隠した状態の、本発明によるラッチを示している。これらの図において、本発明によるラッチの実施例は、２つの対向するアーム１１１及び１１２を有するロッカーレバー１１を有することが示されている。ロッカーレバー１１は、その第４の軸Ｒ４（図１ａ参照）を中心に枢動するように構成され、それを、格納角度位置での爪９の変位の位置で、伝達中央レバー６を阻止するその角度位置に向かって付勢するばね１１Ｓタイプの付勢手段に関連付けることができる。
【００６３】
図９では、伝達中央レバー６は、ロッカーレバー１１の第１のアーム１１１を受け入れるように構成された停止壁６２を備えている。ロッカーレバー１１は、第１のアーム１１１が停止壁６２の作用面と当接接触する角度位置の間で枢動するように構成されている。これにより、格納角度位置にある爪９の変位位置で伝達中央レバー６をブロックし、伝達中央レバー６のストロークに対して角度位置がクリアされるようにする。ロッカーレバー１１の第１のアーム１１１は、停止壁６２から離れており、爪９をそのロック角度位置に戻すことができる。
【００６４】
ばね１１Ｓはオプションである。停止壁６２に、第１のアーム１１１の端部と一致する形状を有し、伝達中央レバー６のストロークに対してクリアされた角度位置に向かってスリップを引き起こすように構成された傾斜路を設けると単純に考えることができる。
【００６５】
図１０は、ピンタッチプローブ１３の内部に設けられた相補的ノッチ１３２（図７参照）内に捕捉されるように構成されたロッカーレバー１１の一端１１２ａを示している。これにより、ラッチＳが機械的に開いている場合、クリアされた位置において、ロッカーレバー１１と干渉することなくピンの完全な回転を可能にする。これは図２２に示されている。
【００６６】
図１０では、伝達中央レバー６に属する長円形の開口６１を通って延びる、クラッチ接続／クラッチ解除中間レバー１４の第１の突出部１４１を明確に見分けることが可能である。
【００６７】
図１１から図１９は、本発明による多機能ラッチの例の説明の、第２の部分で詳述される動作状態を説明している。
【００６８】
図２０及び図２０ｂは、本発明によるラッチのインターフェースセットＡ２を示す（図８も参照）。開口中央レバー７は、本明細書には示されていないが、図７ではむしろ長方形の第３の開口１５３を通って突出するクラッチ接続／クラッチ解除中間レバー１４（図示せず）の第２の突出部１４２が当接して駆動されるように構成された接点突出部７１を有している。
【００６９】
これは、伝達中央レバー６（図示せず）の移動変位が、中間レバー１４の第２の突出部１４２に関して、図２０ａに示された、開口中央レバー７を回転可能に駆動することができない位置と、図２０bに示された、変位手段２１（ここには示されていないが、図１ｃ及び図７に示されている）による開放レバー１５の回転が、接点エクレクセンス７１との当接接触によって開口中央レバー７の変位を引き起こす位置との間で、突出部１４２の表面を移動させるように構成されている。
【００７０】
図２１は、駆動歯車２及び従動ホイール５を備えたドライバＥの配置を示している。図２１はまた、伝達中央レバー６がドライバＥによって持ち上げられたときに第２の当接中間位置にある、アクチュエータＡ１及びインターフェースレバー１５を示している。
【００７１】
本発明によるラッチは、ロッカーレバー１１を備えた実施形態においては、第１の停止位置または第２の停止位置に向かって新たなスタートである中間ポジションを含む３つの位置を採用できるため、２つの機能が可能になる。この例が限定的でないことを強調することが重要である。
【００７２】
従って、中間の当接状態では、モータが一方の方向に回転するか、他方の方向に回転するかに応じて、２つの機能を利用できる。この例では、我々は、電気的開放（機能Ｆ＋）と、開放レバー１５にリンクされたケーブル／コントロールロッド（外部か内部かを問わない）を介した機械的なロック解除（機能Ｆ−）の２つの機能を選択した。さらに、図２３の表は、本発明によるラッチで利用可能な全てのオプションを示している。
【００７３】
本発明によるラッチでは、関数Ｆ＋が使用されるたびに、例えば、電気的開放時に、関数Ｆ−、この場合、ケーブルを介した開口の機械的ロック解除、がリセットされる。本発明によるラッチを含むドアリーフを閉じるときに、ストライカがピンと係合すると、伝達中央レバー６のストロークに対してクリアされた角度位置にロッカーレバー１１が戻る。
次に、「リセット」機能について説明する。
【００７４】
以下の説明では、図１１〜図１９を参照する。
【００７５】
図１１及び図１２は、格納角度位置での爪９の変位の位置で伝達中央レバー６を阻止する位置で伝達中央レバーを停止及び阻止するまでのこのモータ駆動開放の動作状態を示す。この例では、関数Ｆ＋は電気的開放で構成されている。各ステップで、ドライバが、アクチュエータA１及びアクチュエータA２として、両方の面に表示される。矢印は生成された変位を示す。
【００７６】
従って、図１１では、モータ１は、ウォームねじ３を介して駆動歯車２を左から右に作動させる。駆動歯車（駆動ホイール）２は、従動ホイール５、従ってクランクピン５ｂを回転可能に駆動する。クランクピン５ｂは、バックラッシュなしに、伝達中央レバー６を移動させる。この移動は、開口中央レバー７を回転させ、その動きを爪９の半径方向の突出部９１に逆方向に伝達する。開口中央レバー７をリバーサーと呼ぶことも可能である。このようにして、ストライカ１９（図示せず）の開放位置に向かう爪の回転が得られる。
【００７７】
伝達中央レバー６の移動が作動ストロークに達すると、付勢ばね１１Ｓの作用によりロッカーレバー１１が停止壁６２（図９）に嵌合することを可能にする。この安定状態は、ロッカーレバーの爪１２によって維持され、ロッカーレバー１１のいかなる逆回転も防止する。ロッカーレバー１１の爪１２は、独自の付勢ばね１２Ｓにより変位する。この付勢ばね１２Ｓは、伝達中央レバー６を阻止するその角度位置に保持する位置に向かって、ロッカーレバー１１を付勢する。
【００７８】
図１２の動作状態では、左から右に順に、クランクピン５ｃは移動し、停止手段１８に取り付けられた停止部１６で第１の停止位置に停止される。所定の遅延時間または所定のセンサー情報の後、アクチュエータ、つまりモータに逆方向の電力が供給される。伝達中央レバー６は、ロッカーレバー１１によってブロックされているため、最初のトップ位置に戻ることはできない。クランクピン５ａはまた、伝達中央レバー６に固定された従動ホイールの不可能な回転によって阻止される。それにもかかわらず、円弧状の長方形の開口部４１のために、駆動歯車２は回転し続け、図１１の初めにクランクピン５ａがあった開口部の反対側で、後に停止する。
【００７９】
以後、爪９は収納位置で安定し、ピン１０の回転に対してクリアされるため、ピン１０に引っ掛かっているストライカ１９（図示せず）を開放することができる。
【００８０】
以後、ピンは、それ自体の付勢ばね１０Ｓの効果によって、またはドアを引っ張るときのストライカの効果によって、旋回することができる。また、例えば車が所定の角度で駐車されている場合やドアのシールが凍結している場合など、シールの反応が否定的な場合は、ストライカキャッチ位置に留まる可能性がある。
【００８１】
また、例えば車が所定の角度で駐車されている場合やドアのシールが凍結している場合など、シールの反応が否定的な場合は、ストライカキャッチ位置に留まる可能性がある。後に詳述されるシーケンスは、ピンの回転が上記の現象の１つによって遅延されるときの動作状態を説明する。図１１のシーケンスの最後に、電気的開放が有効になると直ぐにピン１０が開口部で駆動された場合も同じである。
【００８２】
続いて、左から右へ、図１３、１４及び１５は、ロッカーレバー１１の爪１２が、ピン１０がストライカ１９（図示せず）を完全に開放する位置に向かって回転する全体にわたって、ロッカーレバー１１が伝達中央レバー６を阻止する角度位置を離れることを防止することを示している。ロッカーレバー１１の爪１２及びピンタッチプローブ１３にそれぞれ属する放射状の表面１２１及び１３１は、ピン１０がそのストライカ１９の開放角度位置に向かって回転可能に駆動されるとき、ロッカーレバー１１の端部１１２ａのための支持表面として連続的に機能する。
【００８３】
図１４に示すこれらの動作状態が完了すると、ロッカーレバー１１は、伝達中央レバー６を阻止する角度位置に留まり、爪９は、格納角度位置に依然として保持される。
【００８４】
図１６及び図１６ａを参照すると、ドアリーフの閉鎖中にストライカ１９によってピンが内側に回転可能に駆動されると、ピンタッチプローブ１３は時計回りに回転し、ロッカーレバー１１の端部１１２ａは、ロッカーレバーの爪１２が爪１２の表面１２１に再び係合することを防止する（図１６ａ）。
【００８５】
その効果を達成するために、ロッカーレバー爪１２の半径は、ピンタッチプローブ１３の半径よりも大きいことが不可欠である。従って、ロッカーレバー１１は、図１６の動作状態の終わりに示される休止位置に向かって移動される。これにより、伝達中央レバー６のその最初の上部位置への移動が開放される。
【００８６】
図１７を左から右へ参照すると、クランクピン（５ｂ）は、開口中央レバー７からのカスケードばねのバイアスにより、その初期位置に戻る。開口中央レバー７もその初期位置に戻ることができ、開口中央レバー７のこの復帰ストローク中に、爪はストライカ１９を保持するその角度位置を回復する。
【００８７】
図１７のこれらの動作状態の全体を通して、クランクピン（５ａ）は、記載されたアクチュエータの開始点に正確に対応する円弧形の長方形の開口４１の他端に戻る。この位置は安定しており、再び第２番目の安定した中間停止位置にある。
【００８８】
このレベルでは、開口中央レバー７は、爪がピン１０の逆鉤１０１または１０２と当接して協働するように構成されているその角度位置に自由に戻ることができる。爪９は、爪ばね９Ｓ（図示せず）により、ピン１０を保持する角度位置に向かって付勢されている。ストライカキャッチの角度位置の遮断は、効果的であり、電気的開放機能、並びに図１８及び１９の動作状態に示されている別のＦ−タイプ機能が再び利用可能である。
【００８９】
従って、本発明によるラッチは、再び中間停止状態にある。図１８を参照すると、モータ１は第１の電気的開路機能とは反対の方向に回転し、駆動歯車２を形成するウォームねじ３とクランクピン５ａは、円弧状の開口４１との当接により駆動されて、従動ホイール５を駆動することができる。従動ホイール５のクランクピン５ｂは、図１９の端部に示されるように、上方に移動移動中の伝達中央レバー６を移動させる。
【００９０】
従って、伝達中央レバー６で十分に変位したばね１４Ｓは、それと同じ方向に、その脚部１４Ｓ１により、クラッチ接続／クラッチ解除中間レバー１４を駆動する。この動作状態は、クランクピン５cがストッパー１７に当接すると終了する。これは、本発明によるラッチの第３の安定した停止位置である。
【００９１】
このレベルでは、クラッチ接続／クラッチ解除中間レバー１４は、クラッチ解除位置からクラッチ位置に移動している（図２０ａ、２０ｂを参照）。以後、クラッチ接続／クラッチ解除中間レバー１４の軸方向突出部１４２は、その接触突出部７１により開口中央レバー７を駆動することができる。
【００９２】
インターフェースセットＡ２にリンクされたハンドルを引くことによる機械的開放操作は、伝達中央レバー６に機械的影響を及ぼさない。
【００９３】
ドアリーフの開放、従ってピン１０の回転に続いて、ストライカが再び係合されると、ロッカーレバー１１は、伝達中央レバー６のストロークに対して空いた位置に留まる。後者のロッカーレバー１１は安定したトップストップ位置にあり、ストライカが引っかかるが、クラッチ接続／クラッチ解除中間レバー１４がクラッチ位置にあるため、機械的なロック解除（機能Ｆ−）はまだ可能である（図２０b）。
【００９４】
従って、この例で説明する解決策は、電気的開放（機能Ｆ＋）と、クラッチ式の機械的ロック解除手段（機能Ｆ−）にリンクされた開放レバー１５を含んでいる。後者は慣性システムを取り除くことができることに注意すべきである。確かに、衝撃によって作成された加速は、ハンドルの駆動による不注意による開放にはつながらない。
【００９５】
それにもかかわらず、衝突の間に外部ハンドルを握ることができ（機能Ｆ−）、衝突時に外部ハンドルを握ることがで、外部から内部に、またはその逆に（またはその逆に）アクセスできるようになり、事故や衝撃が発生した場合に機械的に車両にアクセスできる。
【００９６】
インターフェースレバー１５と同様の別のクラッチ接続可能／クラッチ解除可能なレバーを追加し、後者を内部ハンドルにリンクすることが可能である。
【符号の説明】
【００９７】
１    モータ
２    駆動歯車（駆動ホイール）
３    ウォームねじ
４    ディスク
５    従動ホイール
５ａ、５b、５ｃ    クランクピン
６    伝達中央レバー
６１    開口
６２    停止壁
７    開口中央レバー
７１    接触突出部
９    ピボット爪
９１    第１の突出部
９２    第２の突出部
１０    枢動ピン
１０１    逆鉤
１０２    逆鉤
１１    ロッカーレバー
１１Ｓ    ばね
１１１    アーム
１１２    アーム
１２    ロッカーレバーの爪
１３    ピンタッチプローブ
１３２    相補的ノッチ
１４    クラッチ接続／クラッチ解除中間レバー
１４１    中間レバーの第１の突出部
１４２    中間レバーの第２の突出部
１５    開放レバー
１５１    スタッド
１５３    第３長円形開口
１６    停止部
１７    停止部
１８    停止手段
１９    ストライカ
２０    ノッチ
２１    変位手段
Ａ１    アクチュエータ
Ａ２    インターフェースセット
Ｅ    ラッチのドライバ
Ｒ１、Ｒ２、Ｒ３    回転軸
Ｓ    電気的ラッチ
【図１ａ】
2021510400.tif 000003
【図１ｂ】
2021510400.tif 000004
【図１ｃ】
2021510400.tif 000005
【図１ｄ】
2021510400.tif 000006
【図２】
2021510400.tif 000007
【図３ａ】
2021510400.tif 000008
【図３ｂ】
2021510400.tif 000009
【図３ｃ】
2021510400.tif 000010
【図３ｄ】
2021510400.tif 000011
【図３ｅ】
2021510400.tif 000012
【図４】
2021510400.tif 000013
【図５】
2021510400.tif 000014
【図６】
2021510400.tif 000015
【図７】
2021510400.tif 000016
【図８】
2021510400.tif 000017
【図９】
2021510400.tif 000018
【図１０】
2021510400.tif 000019
【図１１】
2021510400.tif 000020
【図１２】
2021510400.tif 000021
【図１３】
2021510400.tif 000022
【図１４】
2021510400.tif 000023
【図１５】
2021510400.tif 000024
【図１６−１６ａ】
2021510400.tif 000025
【図１７】
2021510400.tif 000026
【図１８】
2021510400.tif 000027
【図１９】
2021510400.tif 000028
【図２０ａ】
2021510400.tif 000029
【図２０ｂ】
2021510400.tif 000030
【図２１】
2021510400.tif 000031
【図２２】
2021510400.tif 000032
【図２３】
2021510400.tif 000033
【国際調査報告】
2021510400.tif 000034
2021510400.tif 000035
2021510400.tif 000036
2021510400.tif 000037
2021510400.tif 000038